(57)【要約】熱可塑性繊維を含む不織布に熱可塑性の伸縮フィルムが積層された伸縮積層シートであって、不織布と伸縮フィルムとが複数の第１および第２溶着部で互いに溶着され、第１溶着部は第１方向に長く、かつ、第１方向に直交する第２方向に短く、第２溶着部は第１方向に交差する第３方向に長く、かつ、第３方向に直交する第４方向に短い。
2016185999.tif 000002
【特許請求の範囲】
【請求項１】
熱可塑性繊維を含む不織布に熱可塑性の伸縮フィルムが積層された伸縮積層シートであって、
前記不織布と前記伸縮フィルムとが複数の第１および第２溶着部で互いに溶着され、
前記第１溶着部は第１方向に長い第１長さを有し、かつ、前記第１方向に直交する第２方向に前記第１長さよりも短い第１幅を有し、
前記第２溶着部は前記第１方向に交差する第３方向に長い第２長さを有し、かつ、前記第３方向に直交する第４方向に前記第２長さよりも短い第２幅を有する、伸縮積層シート。
【請求項２】
請求項１において、
前記第１および第２溶着部は、仮想の四角形以上の多角形の角を除く前記多角形の辺に沿って配置され、かつ、前記多角形の角および前記第１および第２溶着部に囲まれた領域は前記不織布と前記伸縮フィルムとが溶着されていない非溶着部である伸縮積層シート。
【請求項３】
請求項２において、
前記仮想の多角形が四角形、六角形または八角形、あるいは、これらの組合せである伸縮積層シート。
【請求項４】
請求項１の前記伸縮積層シートを含む使い捨て着用物品であって、
前記伸縮積層シートにより形成され着用者の胴回り方向に延び着用者の胴を覆うように構成された胴回り部と、前記着用者の股間を覆うように構成された吸収性本体とを備え、
前記胴回り部は下縁部と、上縁部と、前記下縁部および上縁部の間の中間部とを備え、
前記下縁部および前記中間部とに前記複数の第１溶着部が複数設けられ、
前記上縁部には前記複数の第２溶着部が設けられ、
前記複数の第１溶着部は、前記胴回り方向に間欠的に配置され、かつ、前記縦方向に間欠的に配置され、
前記複数の第２溶着部は、前記胴回り方向に間欠的に配置され、かつ、前記縦方向に間欠的に配置され、
前記複数の第１溶着部は前記胴回り方向に直交する縦方向の長さが、前記胴回り方向の長さよりも長く、
前記複数の第２溶着部は前記胴回り方向の長さが、前記縦方向の長さよりも長い、使い捨て着用物品。
【請求項５】
請求項４において、
前記胴回り部は前記吸収性本体が重なる重なり部を有し、
前記重なり部において前記不織布と前記伸縮フィルムとが複数の第３溶着部で互いに溶着され、
前記第３溶着部は第１方向である前記縦方向に長い第３長さを有し、かつ、前記第２方向である胴回り方向に前記第３長さよりも短い第３幅を有し、
前記第３溶着部の前記第３長さが前記第１溶着部の第１長さよりも長いことを特徴とする、使い捨て着用物品。
【請求項６】
請求項５において、
前記第３溶着部の第３幅が前記第１溶着部の第１幅よりも小さいことを特徴とする、使い捨て着用物品。
【請求項７】
請求項５において、
前記第３溶着部の前記第３幅に対する前記第３長さの比が前記第１溶着部の第１幅に対する第１長さの比よりも大きいことを特徴とする、使い捨て着用物品。
【請求項８】
請求項４において、
前記胴回り部は前記吸収性本体が重なる重なり部を有し、
前記重なり部において前記不織布と前記伸縮フィルムとが複数の第３溶着部で互いに溶着され、
前記第１溶着部が設けられた第１領域と前記第３溶着部が設けられた第３領域との間に、第４領域が配置され、前記第４領域において、前記不織布と前記伸縮フィルムとが複数の第４溶着部で互いに溶着され、
前記第４領域の面積に対する前記複数の第４溶着部の総面積の比が、前記第１領域の面積に対する前記複数の第１溶着部の総面積の比よりも大きく、かつ、前記第３領域の面積に対する前記複数の第３溶着部の総面積の比よりも小さいことを特徴とする、使い捨て着用物品。
【発明の詳細な説明】
【技術分野】
【０００１】
本発明は使い捨て着用物品およびその一部として利用される伸縮積層シートに関する。
【背景技術】
【０００２】
不織布に伸縮フィルムが積層された伸縮積層シートは周知である。
不織布と伸縮フィルムとを積層するための構造としては、例えば円形の溶着部や長細い溶着部を所定のパターンで多数配置している（特許文献１）。
【先行技術文献】
【特許文献】
【０００３】
【特許文献１】ＵＳ６，５３７，９３０Ｂ１（ＷＯ２００１／０８７５９２Ａ）
【発明の概要】
【０００４】
伸縮フィルム自体は本来的に通気性を有していない。そのため、伸縮積層シートに張力が付与された場合、フィルムの強度が高いと各溶着部の周りのフィルムに開孔が形成されず、通気性が劣化する。一方、フィルム強度が低いと多くの溶着部の縁においてフィルムに開孔が形成され、通気性は良好となるが、伸縮性が低下し易い。
【０００５】
したがって、本発明の目的は、通気性および伸縮性の良い伸縮積層シートを提供することである。
【０００６】
本発明の伸縮積層シートは、熱可塑性繊維を含む不織布に熱可塑性の伸縮フィルムが積層された伸縮積層シートであって、
前記不織布と前記伸縮フィルムとが複数の第１および第２溶着部で互いに溶着され、
前記第１溶着部は第１方向に長い第１長さを有し、かつ、前記第１方向に直交する第２方向に前記第１長さよりも短い第１幅を有し、
前記第２溶着部は前記第１方向に交差する第３方向に長い第２長さを有し、かつ、前記第３方向に直交する第４方向に前記第２長さよりも短い第２幅を有する。
【０００７】
第１溶着部は細長い形状である。
第１溶着部の長手方向である第１方向に直交する第２方向に張力が付与されると、第１溶着部の縁においてフィルムが引っ張られ同フィルムに開孔が形成され易い。第１溶着部に第１方向の張力が付与されると、第１溶着部の縁においてフィルムに開孔が形成され難い。すなわち、第１溶着部に働く張力の方向が、長手方向に直交する第２方向に近いほど、第１溶着部の縁のうち第１方向に沿った広い範囲に大きな力が作用する。
たとえば、前記第２方向に張力が付与された際に前記第１溶着部の長手方向の縁に沿った部位のフィルムに開孔が形成され易く、かつ、大きな開孔が形成され易い。
【０００８】
第２溶着部は細長い形状である。
第２溶着部の長手方向である第３方向に直交する第４方向に張力が付与されると、第２溶着部の縁においてフィルムが引っ張られ同フィルムに開孔が形成され易い。第２溶着部に第３方向の張力が付与されると、第２溶着部の縁においてフィルムに開孔が形成され難い。
前記第１方向に交差する前記第３方向に長手方向を有する前記第２溶着部において、前記長手方向が前記第１方向に直交する方向（前記第２方向）に近いほど、前記第２方向に張力が付与された際に前記第２溶着部に働く張力の前記第１方向に沿った範囲が小さくなる。したがって、前記第２方向に張力が付与された際に前記第２溶着部の長手方向に沿った部位のフィルムに開孔が形成され難く、かつ、大きな開孔が形成され難い。
【０００９】
ここで、伸縮積層シートに第２方向の成分を含む張力が付与されると、第１溶着部の縁に沿った部位のフィルムに生じる開孔の大きさと第２溶着部の縁に沿った部位のフィルムに生じる開孔の大きさとが互いに異なる。したがって、第１および第２溶着部の第１および第３方向を適宜に設定することで、所望の通気性と伸縮性を備えた伸縮積層シートが得られる。
本発明において、伸縮積層シートの前記開孔は製品の製造時に形成されてもよいし、製品の使用時、たとえば着用物品の着用時に形成されてもよい。
【図面の簡単な説明】
【００１０】
【図１】図１Ａは伸縮積層シートのマクロ的な構造を示す概略斜視図、図１Ｂは伸縮積層シートの製造装置を示す概略正面図である。
【図２】図２Ａは本発明の一実施例にかかる溶着部の形状、大きさ等をミクロ的に示す概略平面図、図２Ｂは他の例を示す同概略平面図である。
【図３】図３は伸縮積層シートにおける第１および第２溶着部の拡大図である。
【図４】図４Ａおよび図４Ｂは、それぞれ、ギャザを縦横に延ばした状態で示す着用物品の概略平面図である。
【図５】図５Ａおよび図５Ｂは、それぞれ、伸縮積層シートの一例である胴回り部を胴回り方向および縦方向に延ばした状態で示す胴回り部の概略平面図および図５ＡのＶＢ部を拡大して示す拡大平面図である。
【図６】図６Ａおよび図６Ｂは、それぞれ、他の胴回り部の概略平面図および図６ＡのＶＩＢ部を拡大して示す拡大平面図である。
【図７】図７Ａおよび図７Ｂは、それぞれ、他の胴回り部の概略平面図および図７ＡのＶＩＩＢ部を拡大して示す拡大平面図である。
【図８】図８Ａおよび図８Ｂは、それぞれ、他の胴回り部の概略平面図および図８ＡのＶＩＩＩ部を拡大して示す拡大平面図である。
【図９】図９Ａおよび図９Ｂは、それぞれ、他の胴回り部の概略平面図および図９ＡのＩＸＢ部を拡大して示す拡大平面図である。
【図１０】図１０Ａおよび図１０Ｂは、それぞれ、他の胴回り部の概略平面図および図１０ＡのＸ部を拡大して示す拡大平面図である。
【００１１】
図５Ａ〜図１０Ａにおいては、各溶着部を見易くするために、各溶着部が黒く塗り潰されて表記されている。図２Ａ、図２Ｂおよび図３、図５Ｂ〜図１０Ｂにおいては、各溶着部は実線で描かれている。
【発明を実施するための形態】
【００１２】
好ましくは、前記第１および第２溶着部は、仮想の四角形以上の多角形の角を除く前記多角形の辺に沿って配置され、かつ、前記多角形の角および前記第１および第２溶着部に囲まれた領域は前記不織布と前記伸縮フィルムとが溶着されていない非溶着部である。
【００１３】
多角形は三角形に比べ、面積ＳＡを辺の長さＬで除した値ＳＡ／Ｌが大きい。そのため、仮想の多角形内に開孔のない非溶着部位の面積が大きく、伸縮性が良好になる。したがって、溶着部が密に配置されず、粗に配置され、前記各溶着部における超音波などの溶着圧力が高くなり、溶着の確実性が高くなる。
【００１４】
更に、好ましくは、前記仮想の多角形が四角形、六角形または八角形、あるいは、これらの組合せである。
【００１５】
これらの場合、第１および第２溶着部の配置が容易であろう。
【００１６】
好ましくは、前記伸縮積層シートにより形成され着用者の胴回り方向に延び着用者の胴を覆うように構成された胴回り部と、前記着用者の股間を覆うように構成された吸収性本体とを備え、
前記胴回り部は下縁部と、上縁部と、前記下縁部および上縁部の間の中間部とを備え、
前記下縁部および前記中間部とに前記複数の第１溶着部が複数設けられ、
前記上縁部には前記複数の第２溶着部が設けられ、
前記複数の第１溶着部は、前記胴回り方向に間欠的に配置され、かつ、前記縦方向に間欠的に配置され、
前記複数の第２溶着部は、前記胴回り方向に間欠的に配置され、かつ、前記縦方向に間欠的に配置され、
前記複数の第１溶着部は前記胴回り方向に直交する縦方向の長さが、前記胴回り方向の長さよりも長く、
前記複数の第２溶着部は前記胴回り方向の長さが、前記縦方向の長さよりも長い。
【００１７】
胴回り部の下縁部および中間部には縦方向に長い第１溶着部がマトリクス状に設けられている。そのため、着用者が着用物品を着用することにより、胴回り方向に大きな張力が作用した場合、前記第１溶着部の前記胴回り方向の縁に沿った部位のフィルムに開孔が形成され易く、通気性が向上する。
【００１８】
一方、胴回り部の上縁部には、胴回り方向に長い第２溶着部がマトリクス状に設けられている。そのため、前記着用により胴回り方向に大きな張力が作用した場合、前記第２溶着部の前記胴回り方向に沿った部位のフィルムに開孔が形成され難い。したがって、大きな開孔が形成され難くく、伸縮性が確保され易い。
【００１９】
より好ましくは、前記胴回り部は前記吸収性本体が重なる重なり部を有し、
前記重なり部において前記不織布と前記伸縮フィルムとが複数の第３溶着部で互いに溶着され、
前記第３溶着部は第１方向である前記縦方向に長い第３長さを有し、かつ、前記第２方向である胴回り方向に前記第３長さよりも短い第３幅を有し、
前記第３溶着部の前記第３長さが前記第１溶着部の第１長さよりも長い。
【００２０】
胴回り部に吸収性本体が重なる重なり部は剛性が大きい。そのため、胴回り方向に重なり部が伸縮すると、着用感の劣化等の生じる原因となる。
【００２１】
本例では、重なり部の第３溶着部の縦方向の第３長さが第１溶着部の縦方向の第１長さよりも長い。そのため、着用物品の着用により、胴回り方向に大きな張力が作用した場合、前記第３溶着部の前記胴回り方向の縁に沿った部位のフィルムに開孔が形成され易い。したがって、大きな開孔が形成され易く、前記重なり部に伸縮力が生じにくい。
【００２２】
更に好ましくは、前記第３溶着部の第３幅が前記第１溶着部の第１幅よりも小さい。
この場合、第１幅よりも小さい第３幅は第３溶着部の面積が大きくなるのを抑制する。そのため、重なり部の第３溶着部は重なり部の隣の第１溶着部に対し、溶着時のエネルギーの著しく大きな変化が生じにくく、例えば第３溶着部の超音波溶着が行われ易い。
【００２３】
更に好ましくは、前記第３溶着部の前記第３幅に対する前記第３長さの比が前記第１溶着部の第１幅に対する第１長さの比よりも大きい。
この場合、第１長さの比よりも大きい第３長さの比は、第３溶着部の面積が大きくなるのを抑制する。そのため、同様に、第３溶着部の超音波溶着が行われ易い。
【００２４】
好ましくは、前記胴回り部は前記吸収性本体が重なる重なり部を有し、
前記重なり部において前記不織布と前記伸縮フィルムとが複数の第３溶着部で互いに溶着され、
前記第１溶着部が設けられた第１領域と前記第３溶着部が設けられた第３領域との間に、第４領域が配置され、前記第４領域において、前記不織布と前記伸縮フィルムとが複数の第４溶着部で互いに溶着され、
前記第４領域の面積に対する前記複数の第４溶着部の総面積の比が、前記第１領域の面積に対する前記複数の第１溶着部の総面積の比よりも大きく、かつ、前記第３領域の面積に対する前記複数の第３溶着部の総面積の比よりも小さい。
【００２５】
この場合、第３領域、第４領域、第１領域の順に各領域の面積に対する各溶着部の総和が小さい。そのため、溶着面積が胴回り方向に緩やかに変化する。したがって、各溶着部の超音波溶着が行われ易い。
【００２６】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００２７】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００２８】
以下、本発明の一実施例が図面にしたがって説明される。
本伸縮積層シートは、種々の用途に用いることができる。以下、本伸縮積層シートを使い捨てオムツに適用した場合について例示して説明する。前記オムツは、着用者の胴を覆う胴回り部と、着用者の股間を覆う股部とを備えている。前記伸縮積層シートは、前記胴回り部に用いられる。【００２９】
伸縮積層シートを使い捨てオムツに用いた場合のより詳しい構造は例えば、ＵＳ２０１３／０１１００７３Ａ１（ＷＯ２０１２／０１７８１７Ａ１）に開示されており、これらの開示の全てがここに組み込まれる。【００３０】
図１Ａに示すように、本実施例は熱可塑性繊維を含む一対の不織布ＮＷの間に熱可塑性の伸縮フィルムＦが挟まれている場合について説明する。しかし、１枚の不織布ＮＷに伸縮フィルムＦが積層され、伸縮積層シートＳが形成されてもよい。【００３１】
前記一対の不織布ＮＷと伸縮フィルムＦとは、図２Ａに示す多数の長円形状の第１および第２溶着部１，２において互いに溶着されて積層されている。伸縮積層シートＳは例えば使い捨てオムツのフラップや胴回り部に用いることができる。その場合、胴回り方向Ｄ２が伸縮積層シートＳが伸縮する伸縮方向Ｄ２となる。本実施例の場合、前記伸縮方向Ｄ２が第２方向Ｄ２となる。【００３２】
前記溶着部１，２は超音波ホーンの振動エネルギーにより形成されてもよいし、加熱により昇温されて形成されてもよい。【００３３】
本実施例の場合、前記第１溶着部１は第１方向Ｄ１に長く、かつ、前記第１方向Ｄ１に直交する第２方向Ｄ２に短い長円形状である。すなわち、図３に示すように、第１溶着部１の第１方向Ｄ１の第１長さＬ１は第１溶着部１の伸縮方向Ｄ２の第１幅Ｗ１よりも大きい。【００３４】
図３に示すように、前記第２溶着部２は前記第１方向Ｄ１に交差する第３方向Ｄ３に長く、かつ、前記第３方向Ｄ３に直交する第４方向Ｄ４に短い長円形状である。すなわち、第２溶着部２の第３方向Ｄ３の第２長さＬ２は第２溶着部２の第４方向Ｄ４の第２幅Ｗ２よりも大きい。【００３５】
図２Ａにおいて、一点鎖線は仮想の四角形以上の多角形、たとえば六角形を示す。前記第１および第２溶着部１，２は、仮想の六角形の角Ｃには配置されず、かつ、前記多角形の辺Ｅに沿って配置されている。一点鎖線で示す前記六角形の角Ｃおよび前記第１および第２溶着部１，２に囲まれた領域αは前記不織布ＮＷと前記伸縮フィルムＦとが溶着されていない非溶着部である。【００３６】
今、着用物品の着用時に胴回り方向に、つまり第２方向Ｄ２に伸縮積層シートＳが引っ張られた場合、伸縮積層シートＳは第２方向Ｄ２に伸張する。この際、図３に示すように、前記第２方向に直交する第１溶着部１の長縁Ｅ１に沿った部位において一対の前記不織布ＮＷの間の前記伸縮フィルムＦは第２方向Ｄ２に伸び易く、破断し易いだろう。そのため、破線で示すような大きな開孔Ｈが伸縮フィルムＦに形成され易い。すなわち、前記引っ張りによって、強度の大きい一対の不織布ＮＷに前記開孔は形成されず、前記一対の不織布ＮＷの間に挟まれた伸縮フィルムＦにのみ開孔が形成される。なお、図３は一対の不織布ＮＷの間に伸縮フィルムＦが挟まれた前記伸縮積層シートＳの拡大平面図である。【００３７】
一方、図３に示す第２溶着部２において、同第２溶着部２は前記第１溶着部１に比べ前記第２方向Ｄ２に対し傾いている。そのため、前記第２方向Ｄ２に張力が作用した場合、前記第２溶着部２の長縁Ｅ１に沿った部位において前記伸縮フィルムＦは然程伸びないだろう。したがって、第２溶着部２の周りの伸縮フィルムＦに生じる開孔Ｈ（図示せず）は、第１溶着部１のそれに比べ小さかったり、開孔Ｈが生じない場合があるだろう。【００３８】
図１Ｂは前記伸縮積層シートＳの製造装置を示す。
図１Ｂにおいて、フィルムＦは一対のニップロールＲ１，Ｒ２に挟まれて、これらの間からアンビルロールＲ３に向かって供給される。一方、一対の不織布ＮＷは前記伸縮フィルムＦを挟むように前記アンビルロールＲ３に巻き付く。３枚に重なったシート状物には超音波ホーン１００から振動エネルギーが付与される。前記アンビルロールＲ３の表面に形成された図２Ａの溶着パターンに合致した形状や配置の凸部において、前記シート状物が互いに溶着（シール）される。【００３９】
伸縮フィルムＦは張力が加えられた状態で不織布と積層される。図１Ａの伸縮フィルムＦに張力を加えた場合、幅方向Ｄ１に収縮（ネックイン）する。そのため、伸縮フィルムの溶着直前において、伸縮フィルムＦに張力を加えることが好ましい。したがって、図１Ｂに示すように、前記超音波ホーン１００およびアンビルロールＲ３の近傍の上流に一対のニップロールＲ１，Ｒ２を配置することが好ましい。【００４０】
本製造装置において、一対のニップロールＲ１，Ｒ２から送り出された伸縮フィルムＦは下方のアンビルロールＲ３において一対の不織布に挟まれる。したがって、ニップロールＲ１，Ｒ２とアンビルロールＲ３との間において張力が加えられた伸縮フィルムＦが切断された場合であっても、切断された伸縮フィルムＦの先端は下方の前記一対の不織布で挟まれる。そのため、前記製造装置を止めることなく継続して伸縮積層シートを製造することができる。【００４１】
前記製造工程において、図１Ａの不織布ＮＷおよび伸縮フィルムＦは搬送方向ＭＤに連続している。【００４２】
図２Ｂは他の溶着パターンを示す。
この図に示すように、前記多角形としては四角形と八角形とが縦横に、かつ、交互に配置されたパターンであってもよい。【００４３】
以下、本発明の実施例２にかかるシートの構造が図面にしたがって説明される。
図４Ａおよび図４Ｂは着用物品を示す。
これらの図に示すように、着用物品１０は、吸収性本体２０および胴回り部３０を備えている。前記吸収性本体２０は、前記胴回り方向Ｘに直交する縦方向Ｙに延びる。着用物品１０は図４Ａのオムツ型であってもよいし、図４Ｂのパンツ型であってもよい。【００４４】
前記吸収性本体２０には図示しない吸収コアが設けられている。この吸収コアは体液を吸収する。前記吸収コアは、トップシートとバックシートとの間で挟まれている。各シートおよび吸収コアは互いに積層されている。【００４５】
前記トップシートは透液性の薄い不織布からなり、吸収コアの肌面を覆う。このトップシートの上には図示しないカフが設けられていてもよい。【００４６】
前記バックシートは吸収コアの非肌面を覆い、液不透過性の樹脂シートからなる。前記吸収性本体２０の前記縦方向Ｙの端部には、前記胴回り部３０が貼り付けられている。すなわち、胴回り部３０は吸収性本体２０が重なる重なり部３４を有する。【００４７】
前記胴回り部３０は前記伸縮積層シートＳにより形成され着用者の胴回り方向Ｘに延び着用者の胴を覆うように構成さている。前記吸収性本体２０は前記着用者の股間を覆うように構成されている。【００４８】
図５Ａおよび図５Ｂは胴回り部３０を構成する伸縮積層シートＳの例を示す。【００４９】
前記第２溶着部２は胴回り部３０の上縁部３２に複数行および複数列（マトリクス状に）設けられている。前記第１溶着部１は胴回り部３０の下縁部３１および中間部３３に複数行および複数列（マトリクス状に）設けられている。前記複数の第１溶着部１および第２溶着部２は、前記胴回り方向Ｘに（第１方向Ｄ１）に間欠的に配置され、かつ、前記縦方向Ｙ（第２方向Ｄ２）に間欠的に配置されている。【００５０】
前記中間部３３は下縁部３１および上縁部３２を除く、下縁部３１と上縁部３２との間の部分である。一般に、前記上縁部３２はウエスト部と呼ばれ、下縁部３１および中間部３３はヒップ部と呼ばれている。【００５１】
前記複数の第１溶着部１は前記胴回り方向Ｘに直交する縦方向Ｙの第１長さＬ１が、前記胴回り方向Ｘの第１幅よりも大きい。前記複数の第２溶着部２は前記胴回り方向Ｘが、前記縦方向の第２幅Ｗ２よりも大きい。
この例の場合、第１溶着部１には図３の破線で示したような開孔Ｈが着用時に形成される。【００５２】
図６Ａおよび図６Ｂは伸縮積層シートＳの他の例を示す。
この例の場合、図６Ａの前記重なり部３４において図１Ａの前記不織布ＮＷと前記伸縮フィルムＦとが図６Ａの複数の第３溶着部３で互いに溶着されている。重なり部３４は下縁部３１および中間部３３の胴回り方向Ｘの中央に設けられている。【００５３】
図６Ｂの前記第３溶着部３は第１方向Ｄ１である前記縦方向Ｙに長い第３長さＬ３を有し、かつ、前記第２方向Ｄ２である胴回り方向Ｘに前記第３長さよりも短い第３幅Ｗ３を有する。前記第３溶着部３の前記第３長さＬ３は前記第１溶着部１の第１長さＬ１よりも長い。【００５４】
前記第３溶着部３は前記重なり部３４に複数行および複数列（マトリクス状に）設けられている。前記複数の第３溶着部３は胴回り方向Ｘ（第１方向Ｄ２）に間欠的に配置され、かつ、縦方向Ｙ（第２方向Ｄ１）に間欠的に配置されている。【００５５】
図６Ｂの前記第３溶着部３の第３幅Ｗ３に対する前記第３長さＬ３の比は前記第１溶着部１の第１幅Ｗ１に対する第１長さＬ１の比よりも大きい。【００５６】
図６Ａおよび図６Ｂの例のその他の構成は図５Ａおよび図５Ｂの例と同様であり、したがって、その説明が省略される。【００５７】
図７Ａおよび図７Ｂは伸縮積層シートＳの更に他の例を示す。
この例の場合、以下に説明するように各溶着部の面積比が胴回り方向Ｘに沿って徐々に変化するように構成されている。【００５８】
前記第１溶着部１が設けられた第１領域Ａ１と前記第３溶着部３が設けられた第３領域Ａ３との間に、第４領域Ａ４が配置されている。前記第４領域Ａ４において、前記不織布ＮＷと前記伸縮フィルムＦ（図１Ａ）とが複数の第４溶着部４で互いに溶着されている。なお、前記第２溶着部２が設けられた上縁部３２は第２領域Ａ２に属する。【００５９】
前記第４領域Ａ４の面積に対する前記複数の第４溶着部４の総面積の比Ｃ４は、前記第１領域Ａ１の面積に対する前記複数の第１溶着部１の総面積の比Ｃ１よりも大きい。また、前記比Ｃ４は前記第３領域Ａ３の面積に対する前記複数の第３溶着部３の総面積の比Ｃ３よりも小さい。すなわち、下縁部３１および中間部３３において、各溶着部の各領域に対する面積比は重なり部３４に近づくに従い徐々に大きくなる。【００６０】
図７Ａおよび図７Ｂの例のその他の構成は図６Ａおよび図６Ｂの例と同様であり、したがって、その説明が省略される。なお、以下の例においては、図５Ａ〜図７Ｂの例と相違する部分について主に説明される。【００６１】
図８Ａおよび図８Ｂの例に示すように、第３溶着部３は円形であってもよい。また、第４溶着部４は設けられていなくてもよい。【００６２】
しかし、この場合、第３領域Ａ３の前記比Ｃ３が第１領域Ａ１の前記比Ｃ１に比べ著しく大きい。そのため、ホーン１００（図１）による溶着中に単位面積当たりのホーンの接触圧力が急激に変動する。これは超音波溶着の信頼性が低下する要因となるかもしれない。【００６３】
これに対し、図９Ａおよび図９Ｂの例に示すように、第３溶着部３が円形であっても、第４溶着部４が設けられている場合、前記各領域の前記比Ｃ３，Ｃ４，Ｃ１が徐々に変化する。そのため、ホーンの前記接触圧力の急激な変動を抑制し得る。
なお、図９Ａから分かるように、第４溶着部４を２種類設け、前記面積比がより段階的に変化するようにしてもよい。【００６４】
前記各領域の比Ｃ３，Ｃ４，Ｃ１は以下のように設定されてもよい。
図７Ａの各領域の前記比Ｃ１，Ｃ３，Ｃ４について例えば下記の各式で定義されてもよい。
１．０％＜Ｃ１＜４．０％    …（７１）
４．０％＜Ｃ４＜６．０％    …（７４）
６．０％＜Ｃ３＜１０％      …（７３）
図９Ａの各領域の前記比Ｃ１，Ｃ３，Ｃ４について例えば下記の各式で定義されてもよい。
１．０％＜Ｃ１＜５．０％    …（９１）
５．０％＜Ｃ４＜２０％      …（９４）
２０％＜Ｃ３＜３０％        …（９３）【００６５】
図１０Ａおよび図１０Ｂの例に示すように、第１領域Ａ１と第３領域Ａ３との境界が斜めに設定されてもよい。この場合、前記境界の部分において面積比が更に細く段階的に、つまり、無段階に近い状態で変化するだろう。【００６６】
以上のとおり、図面を参照しながら好適な実施例を説明したが、当業者であれば、本明細書を見て、自明な範囲で種々の変更および修正を容易に想定するであろう。【００６７】
たとえば、不織布ＮＷの一方又は両方が連続不織布ではなく、不連続不織布であってもよい。また、１枚の不織布ＮＷに１枚の伸縮フィルムＦが積層されてもよい。また、不織布は非伸縮性であってもよい。
第１および第２溶着部の形状は互いに異なっていてもよい。第１溶着部の第１長さと第２溶着部の第２長さとは同じ大きさであってもよいし、互いに異なる大きさであってもよい。第１溶着部の第１幅と第２溶着部の第２幅とは同じ大きさであってもよいし、互いに異なる大きさであってもよい。また、各溶着部の形状は長円形状ではなく楕円形などであってもよい。また、多角形は実施例に示した正多角形でもよいし、正多角形でなくてもよい。【００６８】
したがって、そのような変更および修正は、請求の範囲から定まる本発明の範囲内のものと解釈される。
【産業上の利用可能性】
【００６９】
本発明の伸縮積層シートは使い捨て着用物品などの部材の一部として利用することができる。
【符号の説明】
【００７０】
１：第１溶着部  ２：第２溶着部  ３：第３溶着部  ４：第４溶着部
Ａ１〜Ａ４：第１〜第４領域
ＮＷ：不織布  Ｆ：伸縮フィルム  Ｓ：伸縮積層シート
Ｄ１：第１方向  Ｄ２：第２方向  Ｄ３：第３方向  Ｄ４：第４方向  ＭＤ：搬送方向
Ｅ１：長縁  Ｈ：開孔
Ｌ１：第１長さ  Ｌ２：第２長さ  Ｌ３：第３長さ  Ｗ１：第１幅  Ｗ２：第２幅
Ｗ３：第３幅
Ｒ１，Ｒ２：ニップロール  Ｒ３：アンビルロール
Ｘ：胴回り方向  Ｙ：縦方向
２０：吸収性本体  ３０：胴回り部
３１：下縁部  ３２：上縁部  ３３：中間部  ３４：重なり部
【図１】
2016185999.tif 000003
【図２】
2016185999.tif 000004
【図３】
2016185999.tif 000005
【図４】
2016185999.tif 000006
【図５】
2016185999.tif 000007
【図６】
2016185999.tif 000008
【図７】
2016185999.tif 000009
【図８】
2016185999.tif 000010
【図９】
2016185999.tif 000011
【図１０】
2016185999.tif 000012
【国際調査報告】
2016185999.tif 000013
2016185999.tif 000014
2016185999.tif 000015
2016185999.tif 000016
2016185999.tif 000017
2016185999.tif 000018